(57)【特許請求の範囲】
【請求項１】
被測定量としての測定対象の物理量および電圧源の電圧値のうちの選択操作によって選択された被測定量を測定可能な測定装置であって、
前記物理量の測定に用いる測定用信号を出力する信号出力部と、前記測定対象に接続される一対の測定用端子間の電圧値を測定する第１測定部と、前記測定対象の物理量を測定する第２測定部と、処理部とを備え、
前記信号出力部は、前記測定用信号を出力する出力状態と当該測定用信号の出力を停止する停止状態とを前記処理部の制御に従って切り替え可能に構成され、
前記処理部は、前記被測定量として前記物理量が選択されたときに、前記停止状態で前記第１測定部によって測定された前記電圧値に基づいて前記各測定用端子と前記電圧源とが接続状態か非接続状態かを判定する第１判定処理と、当該第１判定処理において非接続状態と判定したときに前記出力状態で前記第１測定部によって測定された前記電圧値に基づいて前記各測定用端子と前記測定対象とが接続状態か非接続状態かを判定する第２判定処理とを実行し、当該第２判定処理において接続状態と判定したときに前記第２測定部に前記測定対象の物理量を測定させる測定装置。
【請求項２】
前記処理部は、前記第１判定処理において接続状態と判定したときに当該接続状態であることを報知部に報知させる請求項１記載の測定装置。  
【請求項３】
前記各測定用端子の一方と前記信号出力部との間に接続された保護回路と、当該保護回路の入出力部間の短絡および短絡解除を行う第１スイッチとを備え、
前記処理部は、前記第２判定処理において接続状態と判定したときに前記第１スイッチを制御して前記保護回路の前記入出力部間を短絡させた状態で前記第２測定部に前記測定対象の物理量を測定させる請求項１または２記載の測定装置。
【請求項４】
前記信号出力部は、前記測定用信号を生成する電源回路と、当該電源回路と接続対象との接続および切断を前記処理部の制御に従って切り替える第２スイッチとを備え、当該第２スイッチの動作によって前記出力状態および前記停止状態を切り替え可能に構成されている請求項１から３のいずれかに記載の測定装置。
【請求項５】
プルダウン抵抗と、当該プルダウン抵抗と前記各測定用端子との接続および切断を前記処理部の制御に従って切り替える第３スイッチとを備え、
前記処理部は、前記第２スイッチが前記電源回路と前記接続対象とを接続しているときに前記第３スイッチを制御して前記プルダウン抵抗と前記各測定用端子とを切断させ、前記第２スイッチが前記電源回路と前記接続対象とを切断しているときに前記第３スイッチを制御して前記プルダウン抵抗と前記各測定用端子とを接続させる請求項４記載の測定装置。
【請求項６】
被測定量としての測定対象の物理量および電圧源の電圧値のうちの選択操作によって選択された被測定量を測定する測定方法であって、
前記被測定量として前記物理量が選択されたときに、前記物理量の測定に用いる測定用信号の出力を停止した状態で前記測定対象に接続させる一対の測定用端子間の電圧値を測定した測定値に基づいて当該各測定用端子と前記電圧源とが接続状態か非接続状態かを判定する第１判定処理と、当該第１判定処理において非接続状態と判定したときに前記測定用信号を出力している状態で測定した前記測定値に基づいて前記各測定用端子と前記測定対象とが接続状態か非接続状態かを判定する第２判定処理とを実行し、当該第２判定処理において接続状態と判定したときに前記測定対象の物理量を測定する測定方法。
【発明の詳細な説明】
【技術分野】
【０００１】
本発明は、測定対象の物理量および電圧源の電圧値を測定可能な測定装置および測定方法に関するものである。
【背景技術】
【０００２】
この種の測定装置として、下記特許文献１に開示されたマルチメータが知られている。このマルチメータは、電圧値や抵抗値等の複数種類の被測定量を測定することが可能に構成されている。また、この種の測定装置では、電圧値を測定する際には、抵抗値の測定に用いられる低インピーダンスの電流出力回路に高インピーダンスの保護抵抗を接続して電流出力回路を保護し、抵抗値を測定する際には、保護抵抗の両端を短絡させて保護抵抗を非接続とさせる。この場合、出願人が既に開発している測定装置では、測定対象に接続する一対のプローブ（測定端子）間の電圧値を測定部が測定し、測定した電圧値が予め規定された規定値以上のときには、各プローブが電圧源に接続されていると判定して保護抵抗を電流出力回路に接続させ、測定した電圧値が規定値未満のときには各プローブが電圧源に接続されていない（測定対象に接続されている）と判定して保護抵抗を非接続とさせる処理を処理部が行うことで、保護抵抗の接続および非接続を自動的に行っている。このため、この測定装置では、測定対象の抵抗値を測定する際に、各プローブを誤って電圧源に接続したとしても、処理部が保護抵抗を電流出力回路に確実に接続させて電流出力回路を保護することが可能となっている。
【先行技術文献】
【特許文献】
【０００３】
【特許文献１】特開平７−１５１７９２号公報（第３頁、第２図）
【発明の概要】
【発明が解決しようとする課題】
【０００４】
ところが、出願人が既に開発している上記の測定装置には、改善すべき以下の課題が存在する。すなわち、従来の測定装置では、測定対象に接続する各プローブ間の電圧値が規定値以上のときに保護抵抗を電流出力回路に接続させ、各プローブ間の電圧値が規定値未満のときに保護抵抗の両端を短絡させる処理を処理部が自動的に行うことで、各プローブを誤って電圧源に接続したときの電流出力回路の保護を行っている。この場合、各プローブを誤って電圧源に接続して、プローブ間の電圧値が規定値以上のときには、そのことを測定者に報知するのが好ましい。しかしながら、この測定装置では、電流出力回路から測定用電流が出力されている状態で各プローブ間の電圧値を測定しているため、各プローブを誤って電圧源に接続したときだけでなく、各プローブが電圧源にも測定対象にも接続されていない状態（オープン状態）においても、各プローブ間に現れる規定値以上の電圧値（電流出力回路の最大電圧値）が測定されることとなる。このため、この測定装置では、規定値以上の電圧値が測定されていることが、各プローブが電圧源に接続されていることによるものか、各プローブがオープン状態であることによるものかを特定することができない結果、各プローブが誤って電圧源に接続されていることを確実に判定することができないという課題が存在する。
【０００５】
本発明は、かかる課題を解決すべくなされたものであり、測定用端子が誤って電圧源に接続されていることを確実に判定し得る測定装置を提供することを主目的とする。
【課題を解決するための手段】
【０００６】
上記目的を達成すべく請求項１記載の測定装置は、被測定量としての測定対象の物理量および電圧源の電圧値のうちの選択操作によって選択された被測定量を測定可能な測定装置であって、前記物理量の測定に用いる測定用信号を出力する信号出力部と、前記測定対象に接続される一対の測定用端子間の電圧値を測定する第１測定部と、前記測定対象の物理量を測定する第２測定部と、処理部とを備え、前記信号出力部は、前記測定用信号を出力する出力状態と当該測定用信号の出力を停止する停止状態とを前記処理部の制御に従って切り替え可能に構成され、前記処理部は、前記被測定量として前記物理量が選択されたときに、前記停止状態で前記第１測定部によって測定された前記電圧値に基づいて前記各測定用端子と前記電圧源とが接続状態か非接続状態かを判定する第１判定処理と、当該第１判定処理において非接続状態と判定したときに前記出力状態で前記第１測定部によって測定された前記電圧値に基づいて前記各測定用端子と前記測定対象とが接続状態か非接続状態かを判定する第２判定処理とを実行し、当該第２判定処理において接続状態と判定したときに前記第２測定部に前記測定対象の物理量を測定させる。
【０００７】
また、請求項２記載の測定装置は、請求項１記載の測定装置において、前記処理部は、前記第１判定処理において接続状態と判定したときに当該接続状態であることを報知部に報知させる。  
【０００８】
また、請求項３記載の測定装置は、請求項１または２記載の測定装置において、前記各測定用端子の一方と前記信号出力部との間に接続された保護回路と、当該保護回路の入出力部間の短絡および短絡解除を行う第１スイッチとを備え、前記処理部は、前記第２判定処理において接続状態と判定したときに前記第１スイッチを制御して前記保護回路の前記入出力部間を短絡させた状態で前記第２測定部に前記測定対象の物理量を測定させる。
【０００９】
また、請求項４記載の測定装置は、請求項１から３のいずれかに記載の測定装置において、前記信号出力部は、前記測定用信号を生成する電源回路と、当該電源回路と接続対象との接続および切断を前記処理部の制御に従って切り替える第２スイッチとを備え、当該第２スイッチの動作によって前記出力状態および前記停止状態を切り替え可能に構成されている。
【００１０】
また、請求項５記載の測定装置は、請求項４記載の測定装置において、プルダウン抵抗と、当該プルダウン抵抗と前記各測定用端子との接続および切断を前記処理部の制御に従って切り替える第３スイッチとを備え、前記処理部は、前記第２スイッチが前記電源回路と前記接続対象とを接続しているときに前記第３スイッチを制御して前記プルダウン抵抗と前記各測定用端子とを切断させ、前記第２スイッチが前記電源回路と前記接続対象とを切断しているときに前記第３スイッチを制御して前記プルダウン抵抗と前記各測定用端子とを接続させる。
【００１１】
また、請求項６記載の測定方法は、被測定量としての測定対象の物理量および電圧源の電圧値のうちの選択操作によって選択された被測定量を測定する測定方法であって、前記被測定量として前記物理量が選択されたときに、前記物理量の測定に用いる測定用信号の出力を停止した状態で前記測定対象に接続させる一対の測定用端子間の電圧値を測定した測定値に基づいて当該各測定用端子と前記電圧源とが接続状態か非接続状態かを判定する第１判定処理と、当該第１判定処理において非接続状態と判定したときに前記測定用信号を出力している状態で測定した前記測定値に基づいて前記各測定用端子と前記測定対象とが接続状態か非接続状態かを判定する第２判定処理とを実行し、当該第２判定処理において接続状態と判定したときに前記測定対象の物理量を測定する。
【発明の効果】
【００１２】
請求項１記載の測定装置および請求項６記載の測定方法では、被測定量として物理量が選択されたときに、測定用信号の出力を停止した状態で測定した各測定用端子間の電圧値の測定値に基づいて各測定用端子と電圧源とが接続状態か非接続状態かを判定する第１判定処理と、第１判定処理において非接続状態と判定したときに測定用信号を出力している状態で測定した各測定用端子間の電圧値の測定値に基づいて各測定用端子と測定対象とが接続状態か非接続状態かを判定する第２判定処理とを実行し、第２判定処理において接続状態と判定したときに測定対象の物理量を測定する。このため、この測定装置および測定方法によれば、測定用信号を出力している状態で測定した測定値が規定値以上であるか否かに基づいて各測定用端子と電圧源とが接続状態か非接続状態かを判定する従来の測定装置とは異なり、第１判定処理において、測定対象の物理量が被測定量として選択されている状態で測定用端子が誤って電圧源に接続（誤接続）されているときにのみ、誤接続されていることを確実に判定することができる。
【００１３】
また、請求項２記載の測定装置によれば、第１判定処理において接続状態と判定したときに接続状態であることを報知部に報知させることにより、測定対象の物理量が被測定量として選択されている状態で測定用端子が誤って電圧源に誤接続されているときに、誤接続されていることを使用者に確実に認識させることができる。
【００１４】
また、請求項３記載の測定装置によれば、各測定用端子の一方と信号出力部との間に接続された保護回路と、保護回路の入出力部間の短絡および短絡解除を行う第１スイッチとを備え、第２判定処理において接続状態と判定したときに第１スイッチを制御して保護回路の入出力部間を短絡させた状態で第２測定部に測定対象の物理量を測定させることにより、測定対象の物理量が被測定量として選択されている状態で測定用端子が誤って電圧源に誤接続したときには、信号出力部等の低インピーダンスの回路を保護回路によって確実に保護することができると共に、測定対象の物理量を測定するときには、保護回路の影響を排除した状態で測定対象の物理量を正確に測定することができる。
【００１５】
また、請求項４記載の測定装置によれば、測定用信号を生成する電源回路と、電源回路と接続対象との接続および切断を切り替える第２スイッチとを備えて信号出力部を構成したことにより、測定用信号を出力する出力状態と測定用信号の出力を停止する停止状態との切り替えを簡易な構成で確実に行わせることができる。
【００１６】
また、請求項５記載の測定装置は、プルダウン抵抗と、プルダウン抵抗と各測定用端子との接続および切断を切り替える第３スイッチとを備えている。このため、この測定装置によれば、信号出力部の第２スイッチが電源回路と保護回路とを切断している状態、つまり各測定用端子に高インピーダンスの電圧測定部だけが接続されて電圧測定部が周囲の誘導ノイズの影響を受け易い状態において、第３スイッチを制御してプルダウン抵抗と各測定用端子とを接続させることで、電圧測定部に対する周囲の誘導ノイズの影響を十分に低減することができる。このため、この測定装置によれば、第１判定処理の際の電圧測定部による測定値の測定精度を十分に向上させることができる。
【図面の簡単な説明】
【００１７】
【図１】測定装置１の構成を示す構成図である。
【図２】測定装置１の動作を説明する第１の説明図である。
【図３】測定装置１の動作を説明する第２の説明図である。
【図４】測定装置１の動作を説明する第３の説明図である。
【図５】測定装置１の動作を説明する第４の説明図である。
【発明を実施するための形態】
【００１８】
以下、測定装置の実施の形態について、添付図面を参照して、説明する。
【００１９】
最初に、図１に示す測定装置１の構成について説明する。測定装置１は、測定装置の一例であって、同図に示すように、信号出力部１１、保護抵抗１２、スイッチ１３、電圧測定部１４、プルダウン抵抗１５、スイッチ１６、操作部１７、表示部１８、処理部１９およびプローブ５１ａ，５１ｂ（測定用端子）を備え、測定対象（例えば、図２に示す抵抗器１０１）の抵抗値（被測定量としての物理量）、および電圧源（例えば、図５に示す電圧源２０１）の電圧値（被測定量）を測定可能に構成されている。
【００２０】
信号出力部１１は、測定用の測定用信号（例えば、直流定電流）を出力する出力状態と測定用信号の出力を停止する停止状態とを処理部１９の制御に従って切り替え可能に構成されている。具体的には、信号出力部１１は、図１に示すように、処理部１９の制御に従って測定用信号を生成する電源回路２１（定電流回路）と、電源回路２１と保護抵抗１２（接続対象）との接続および切断を処理部１９の制御に従って切り替えるスイッチ２２（第２スイッチに相当する）とを備えて構成されている。
【００２１】
保護抵抗１２は、信号出力部１１を保護するための保護回路の一例であって、図１に示すように、プローブ５１ａ（一方の測定用端子）と信号出力部１１との間に接続されている。
【００２２】
スイッチ１３は、第１スイッチに相当し、図１に示すように、プローブ５１ａと信号出力部１１との間に（つまり、保護抵抗１２と並列に）接続されている。このスイッチ１３は、処理部１９の制御に従って作動して、保護抵抗１２の両端部間（入出力部間）の短絡（プローブ５１ａと信号出力部１１との短絡）および短絡解除を行う。
【００２３】
電圧測定部１４は、第１測定部に相当し、処理部１９の制御に従ってプローブ５１ａ，５１ｂ間の電圧値を測定する（以下、電圧測定部１４によって測定された電圧値を「測定値Ｖｄ」ともいう）
【００２４】
プルダウン抵抗１５は、測定対象の電圧を測定する際に電圧測定部１４に対するノイズの影響を低減するための抵抗であって、図１に示すように、プローブ５１ａ，５１ｂの間に接続されている。
【００２５】
スイッチ１６は、第３スイッチに相当し、図１に示すように、プローブ５１ｂ（他方の測定用端子）とプルダウン抵抗１５との間に接続されている。このスイッチ１６は、処理部１９の制御に従って作動して、プローブ５１ａ，５１ｂとプルダウン抵抗１５との接続および非接続の切り替えを行う。
【００２６】
操作部１７は、電源ボタン等の各種の操作ボタンや、被測定量（測定モード）を選択する選択操作を行う際に用いられるダイヤル（いずれも図示せず）を備えて構成され、これらが操作されたときに操作信号を出力する。
【００２７】
表示部１８は、処理部１９の制御に従って処理部１９によって測定された被測定量の測定値を表示する。また、表示部１８は、報知部として機能し、処理部１９の制御に従って後述する報知用の画像を表示する。
【００２８】
処理部１９は、操作部１７から出力される操作信号に従って信号出力部１１、スイッチ１３、電圧測定部１４、スイッチ１６および表示部１８を制御する。この場合、処理部１９は、電圧測定部１４によって測定された測定値Ｖｄを用いて行う後述する第１判定処理および第２判定処理の判定結果に基づいてスイッチ１３の動作を制御する。また、処理部１９は、信号出力部１１からの測定用信号の出力が停止している停止状態においてプローブ５１ａ，５１ｂとプルダウン抵抗１５とが接続されるようにスイッチ１６の動作を制御する。
【００２９】
また、処理部１９は、第２測定部として機能し、操作部１７を用いた選択操作によって選択された被測定量としての抵抗値（例えば、図２に示す抵抗器１０１の抵抗値）を測定する抵抗測定処理する。また、処理部１９は、操作部１７を用いた選択操作によって選択された被測定量としての電圧値（例えば、図５に示す電圧源２０１の電圧値）を測定する電圧測定処理を実行する。さらに、処理部１９は、被測定量として抵抗値が選択されている状態で第１判定処理においてプローブ５１ａ，５１ｂが電圧源に接続されている（接続状態である）と判定したときには、接続状態であることを報知する報知用の画像を表示部１８に表示させる報知処理を実行する。
【００３０】
次に、測定装置１の使用方法、および測定装置１の動作について、図面を参照して説明する。
【００３１】
この測定装置１を用いて、例えば図２に示す電機部品としての抵抗器１０１の抵抗値を測定する際には、操作部１７を操作して電源を投入し、次いで、操作部１７を操作して被測定量として抵抗値（抵抗測定モード）を選択する。続いて、同図に示すように、抵抗器１０１の両端子にプローブ５１ａ，５１ｂをそれぞれ接触させる。
【００３２】
一方、測定装置１では、処理部１９が、操作部１７から出力された操作信号に従って抵抗測定処理を実行する。
【００３３】
抵抗測定処理では、処理部１９は、まず、第１判定処理を実行する。この第１判定処理では、処理部１９は、図２に示すように、信号出力部１１のスイッチ２２を制御してオフ状態とさせて、信号出力部１１を停止状態（測定用信号の出力を停止した状態）とさせる。また、処理部１９は、同図に示すように、スイッチ１３を制御してオフ状態（保護抵抗１２の両端部間の短絡を解除した状態）とさせると共に、スイッチ１６を制御してオン状態とさせる。
【００３４】
次いで、処理部１９は、電圧測定部１４を制御してプローブ５１ａ，５１ｂ間の電圧値を測定させる。続いて、処理部１９は、電圧測定部１４によって測定された測定値Ｖｄと、予め規定された第１規定値Ｖｒ１（例えば、数Ｖ〜数十Ｖ）とを比較してプローブ５１ａ，５１ｂと電圧源とが接続状態か非接続状態かを判定する。
【００３５】
この場合、図２に示すように、プローブ５１ａ，５１ｂが抵抗器１０１に接続されて、電圧源には接続されていないときには、プローブ５１ａ，５１ｂ間に電圧が生じない（または、プローブ５１ａ，５１ｂ間の電圧値が小さい値となる）ため、測定値Ｖｄが第１規定値Ｖｒ１未満となる。このときには、処理部１９は、プローブ５１ａ，５１ｂと電圧源とが非接続状態と判定する。
【００３６】
次いで、処理部１９は、第１判定処理においてプローブ５１ａ，５１ｂと電圧源とが非接続状態と判定したときには、第２判定処理を実行する。この第２判定処理では、処理部１９は、信号出力部１１の電源回路２１を制御して測定用信号を生成させる。続いて、処理部１９は、図３に示すように、信号出力部１１のスイッチ２２を制御してオン状態とさせて、信号出力部１１を出力状態（測定用信号を出力する状態）とさせる。また、処理部１９は、同図に示すように、スイッチ１３を第１判定処理と同じオフ状態に維持させる。また、処理部１９は、スイッチ１６をオン状態からオフ状態に切り替えさせる。
【００３７】
次いで、処理部１９は、電圧測定部１４によって測定されたプローブ５１ａ，５１ｂ間の電圧の測定値Ｖｄと、予め規定された第２規定値Ｖｒ２とを比較してプローブ５１ａ，５１ｂと抵抗器１０１とが接続状態か非接続状態かを判定する。第２規定値Ｖｒ２は、一例として、電源回路２１が生成可能な最大電圧よりもやや小さい電圧値（例えば、１００Ｖ程度）に規定されている。
【００３８】
この場合、図３に破線で示すように、プローブ５１ａ，５１ｂが抵抗器１０１に接続されていないとき（プローブ５１ａ，５１ｂがオープン状態のとき）には、定電流回路である電源回路２１が生成可能な最大電圧で測定用信号を生成するため、プローブ５１ａ，５１ｂ間には、第２規定値Ｖｒ２を超える大きな値の電圧が生じることとなる。このため、このときには、測定値Ｖｄが第２規定値Ｖｒ２以上となり、処理部１９は、この第２判定処理において、プローブ５１ａ，５１ｂと抵抗器１０１とが非接続状態と判定する。
【００３９】
続いて、処理部１９は、第２判定処理において、プローブ５１ａ，５１ｂと抵抗器１０１とが非接続状態と判定したときには、信号出力部１１を出力状態（測定用信号を出力する状態）に維持させ、スイッチ１３をオフ状態に維持させ、スイッチ１６をオフ状態に維持させる。
【００４０】
一方、図３に実線で示すように、プローブ５１ａ，５１ｂが抵抗器１０１に接続されたときには、プローブ５１ａ，５１ｂ間の電圧値は、第２規定値Ｖｒ２よりも十分に小さい電圧値（抵抗器１０１の抵抗値に応じた電圧値）となる。このため、このときには、測定値Ｖｄが第２規定値Ｖｒ２未満となり、処理部１９は、この第２判定処理において、プローブ５１ａ，５１ｂと抵抗器１０１とが接続状態と判定する。
【００４１】
次いで、処理部１９は、第２判定処理において、プローブ５１ａ，５１ｂと抵抗器１０１とが接続状態と判定したときには、信号出力部１１を出力状態（測定用信号を出力する状態）に維持させると共に、スイッチ１６をオフ状態に維持させる。また、処理部１９は、図４に示すように、スイッチ１３をオフ状態からオン状態に切り替えさせることによってプローブ５１ａと信号出力部１１との間（つまり保護抵抗１２の両端間）を短絡させる。
【００４２】
続いて、処理部１９は、電圧測定部１４によって測定されているプローブ５１ａ，５１ｂ間の電圧の測定値Ｖｄと、信号出力部１１から出力されている測定用信号の電流値とに基づいて抵抗器１０１の抵抗値を測定する。この場合、プローブ５１ａと信号出力部１１とを短絡させることにより、抵抗器１０１の抵抗値を測定する際の保護抵抗１２の影響が排除される。次いで、処理部１９は、測定した抵抗値を表示部１８に表示させる。以上により、抵抗器１０１の抵抗値の測定が終了する。
【００４３】
ここで、抵抗器１０１の抵抗値の測定を意図して被測定量として抵抗値が選択されている状態（抵抗測定モードが選択されている状態）において、図５に示すように、プローブ５１ａ，５１ｂを誤って電圧源２０１に接続したときには、上記した第１判定処理において、電圧測定部１４によって測定された測定値Ｖｄが第１規定値Ｖｒ１以上となる。このときには、処理部１９は、プローブ５１ａ，５１ｂと電圧源とが接続状態と判定する。
【００４４】
また、処理部１９は、第１判定処理において、プローブ５１ａ，５１ｂと電圧源とが接続状態と判定したときには、報知処理を実行する。この報知処理では、処理部１９は、スイッチ１３のオフ状態（保護抵抗１２の両端部間の短絡を解除した状態）を維持しつつ、プローブ５１ａ，５１ｂが電圧源に誤接続されていることを示す文字情報を表示部１８に表示させる。これにより、抵抗測定モードが選択されている状態でプローブ５１ａ，５１ｂを誤って電圧源に接続していることが確実に報知される。
【００４５】
この場合、信号出力部１１から測定用信号が出力されている状態で測定したプローブ５１ａ，５１ｂ間の測定値Ｖｄが規定値以上であるか否かに基づいてプローブ５１ａ，５１ｂと電圧源とが接続状態か非接続状態かを判定する従来の測定装置では、プローブ５１ａ，５１ｂを誤って電圧源に接続したときだけではなく、プローブ５１ａ，５１ｂが電圧源にも抵抗器１０１にも接続されていない状態（オープン状態）においても、プローブ５１ａ，５１ｂ間の測定値Ｖｄが規定値以上となる。このため、抵抗測定モードが選択されている状態でプローブ５１ａ，５１ｂが誤って電圧源に接続されていることを確実に報知することが困難である。
【００４６】
これに対して、この測定装置１では、測定用信号の出力が停止している停止状態において測定したプローブ５１ａ，５１ｂ間の測定値Ｖｄが第１規定値Ｖｒ１以上であるか否かに基づいてプローブ５１ａ，５１ｂと電圧源とが接続状態か非接続状態かを判定する第１判定処理を実行する。このため、この測定装置１では、第１判定処理において、抵抗測定モードが選択されている状態でプローブ５１ａ，５１ｂを誤って電圧源に接続したときにのみプローブ５１ａ，５１ｂ間の測定値Ｖｄが第１規定値Ｖｒ１以上となる結果、プローブ５１ａ，５１ｂが誤って電圧源に接続されていることを確実に報知することが可能となっている。
【００４７】
次に、測定装置１を用いて、例えば図５に示す電圧源２０１の電圧値を測定する際には、操作部１７を操作して被測定量として電圧値（電圧測定モード）を選択する。続いて、同図に示すように、電圧源２０１にプローブ５１ａ，５１ｂをそれぞれ接触させる。
【００４８】
一方、測定装置１では、処理部１９が、操作部１７から出力された操作信号に従って電圧測定処理を実行する。
【００４９】
電圧測定処理では、処理部１９は、図５に示すように、信号出力部１１のスイッチ２２を制御してオフ状態とさせて、信号出力部１１を、測定用信号の出力を停止した停止状態とさせる。また、処理部１９は、同図に示すように、スイッチ１３を制御してオフ状態とさせると共に、スイッチ１６を制御してオン状態とさせる。
【００５０】
次いで、処理部１９は、電圧測定部１４を制御してプローブ５１ａ，５１ｂ間の電圧値を測定させる。続いて、処理部１９は、電圧測定部１４によって測定された測定値Ｖｄを表示部１８に表示させる。以上により、電圧源２０１の電圧値の測定が終了する。
【００５１】
このように、この測定装置１および測定方法では、抵抗測定モードが選択されたときに、測定用信号の出力を停止した停止状態で測定されたプローブ５１ａ，５１ｂ間の測定値Ｖｄに基づいてプローブ５１ａ，５１ｂと電圧源とが接続状態か非接続状態かを判定する第１判定処理と、第１判定処理において非接続状態と判定したときに測定用信号を出力する出力状態で測定された測定値Ｖｄに基づいてプローブ５１ａ，５１ｂと抵抗器１０１とが接続状態か非接続状態かを判定する第２判定処理とを実行し、第２判定処理において接続状態と判定したときに抵抗器１０１の抵抗値を測定する。このため、この測定装置１および測定方法によれば、信号出力部１１から測定用信号が出力されている状態で測定したプローブ５１ａ，５１ｂ間の測定値Ｖｄが規定値以上であるか否かに基づいてプローブ５１ａ，５１ｂと電圧源とが接続状態か非接続状態かを判定する従来の測定装置とは異なり、第１判定処理において、抵抗測定モードが選択されている状態でプローブ５１ａ，５１ｂが誤って電圧源に接続（誤接続）されているときにのみ誤接続していることを確実に判定することができる。
【００５２】
また、この測定装置１および測定方法によれば、第１判定処理において接続状態と判定したときに接続状態であることを表示部１８に表示させることにより、被測定量として抵抗値が選択されている状態でプローブ５１ａ，５１ｂが誤って電圧源に誤接続されているときに、誤接続されていることを使用者に確実に認識させることができる。
【００５３】
また、この測定装置１および測定方法によれば、第２判定処理において接続状態と判定したときにスイッチ１３を制御して保護抵抗１２の両端部間を短絡させた状態で抵抗器１０１の抵抗値を測定することにより、抵抗値が被測定量として選択されている状態でプローブ５１ａ，５１ｂが誤って電圧源に誤接続したときには、信号出力部１１等の低インピーダンスの回路を保護抵抗１２によって確実に保護することができると共に、抵抗器１０１の抵抗値を測定するときには、保護抵抗１２の影響を排除した状態で抵抗器１０１の抵抗値を正確に測定することができる。
【００５４】
また、この測定装置１によれば、測定用信号を生成する電源回路２１と、電源回路２１と保護抵抗１２との接続および切断を切り替えるスイッチ２２とを備えて信号出力部１１を構成したことにより、出力状態と停止状態との切り替えを簡易な構成で確実に行わせることができる。
【００５５】
また、この測定装置１は、プルダウン抵抗１５と、プルダウン抵抗１５とプローブ５１ａ，５１ｂとの接続および切断を切り替えるスイッチ１６とを備えている。このため、この測定装置１によれば、信号出力部１１のスイッチ２２が電源回路２１と保護抵抗１２とを切断している状態、つまりプローブ５１ａ，５１ｂに高インピーダンスの電圧測定部１４だけが接続されて電圧測定部１４が周囲の誘導ノイズの影響を受け易い状態において、スイッチ１６を制御してプルダウン抵抗１５とプローブ５１ａ，５１ｂとを接続させることで、電圧測定部１４に対する周囲の誘導ノイズの影響を十分に低減することができる。このため、この測定装置１および測定方法によれば、第１判定処理の際の電圧測定部１４による測定値Ｖｄの測定精度を十分に向上させることができる。
【００５６】
なお、測定装置の構成および測定方法は、上記した構成および方法に限定されない。例えば、被測定量としての測定対象の物理量として抵抗器１０１の抵抗値を測定する構成および方法について上記したが、測定対象および物理量は、これに限定されない。例えば、測定対象としてのコンデンサの容量値を物理量として測定する構成および方法に適用することもできる。コンデンサの容量値を測定する構成および方法では、第２判定処理において測定用信号として交流信号を出力し、電圧測定部１４によって測定された測定値Ｖｄが予め規定された規定値よりも小さいときには接続状態と判定し、測定値Ｖｄが規定値以上のときには非接続状態態と判定する。なお、この構成および方法において、測定用信号として直流信号を用いることもでき、この場合には、第２判定処理において直流信号の出力直後の短時間における測定値Ｖｄが予め規定された規定値よりも小さいときには接続状態と判定し、規定値以上のときには非接続状態態と判定することができる。
【００５７】
また、測定対象としてのダイオードの抵抗値を物理量として測定して、ダイオードの極性テストを行う機能を有する構成および方法に適用することもできる。この機能を有する構成および方法では、信号出力部１１から出力する測定用信号の極性を切替え可能とし、第２判定処理において、いずれかの極性において測定値Ｖｄが予め規定された規定値よりも小さいときには接続状態と判定し、いずれの極性においても測定値Ｖｄが規定値以上のときには非接続状態態と判定する。
【００５８】
また、上記した抵抗器１０１、コンデンサおよびダイオード以外の各種の素子を測定対象として、上記した抵抗および容量以外の物理量（例えば、電流、電力、インピーダンスおよびインダクタンスなど）を測定する測定装置および測定方法に適用することもできる。
【００５９】
また、スイッチ２２が電源回路２１と保護抵抗１２との接続および切断を切り替えることで、測定用信号の出力状態と停止状態とを切り替える例について上記したが、電源回路２１による測定用信号の生成と生成停止とを切り替えることによって出力状態と停止状態とを切り替える構成および方法を採用することもできる。
【００６０】
また、抵抗値（抵抗測定モード）が選択されている状態でプローブ５１ａ，５１ｂが電圧源に誤接続されていることを報知する方法として、表示部１８に文字情報を表示させる例について上記したが、報知方法は、これに限定されない。例えば、注意を喚起する図形を表示部１８に表示させる構成および方法、並びに文字情報や図形を点滅させる構成および方法を採用することもできる。また、測定装置１に発光部を設けて、発光部を発光させて誤接続を報知する構成および方法や、測定装置１に音出力部を設けて、ブザーや疑似音声などの音によって誤接続を報知する構成および方法を採用することもできる。また、測定装置１の外部に報知部を設けて、その外部の報知部に対して誤接続を報知させる構成および方法を採用することもできる。
【００６１】
また、保護回路として保護抵抗１２を採用した例について上記したが、サーミスタ等の抵抗以外の素子を用いることもできる。
【符号の説明】
【００６２】
１  測定装置
１１  信号出力部
１２  保護抵抗
１３  スイッチ
１４  電圧測定部
１５  プルダウン抵抗
１６  スイッチ
１７  操作部
１９  処理部
２１  電源回路
２２  スイッチ
５１ａ，５１ｂ  プローブ
１０１  抵抗器
２０１  電圧源
Ｓ１  測定用信号
【図１】
0006679406.tif 000002
【図２】
0006679406.tif 000003
【図３】
0006679406.tif 000004
【図４】
0006679406.tif 000005
【図５】
0006679406.tif 000006